【事件の表示】
　特許第３１７９３４０号「オルガノポリシロキサンの製造方法」の請求項１に係る特許に対する特許異議の申立てについて、次のとおり決定する。
【結　論】
　特許第３１７９３４０号の請求項１に係る特許を維持する。
【理　由】
［１］手続きの経緯
　本件特許第３１７９３４０1号は、平成８年５月２７日に出願された特願平８−１３２１７３号の出願に係り、平成１３年４月１３日に設定登録がなされたものである。
　
［２］本件発明
　本件発明は、設定登録時の明細書の記載からみて、その特許請求の範囲の請求項１に記載された事項により構成される次のとおりのものと認める。
「（i）一般式Ｒ１Ｓi(ＯＲ２)３〔式中、Ｒ１は炭素数１〜８の有機基を示し、Ｒ２は炭素数１〜５のアルキル基を示す。〕で示されるオルガノシランを、Ｚｒ、Ｔｉ又はＡｌ系金属キレート化合物の存在下で加水分解及び縮合反応させ、平均４〜１５量体の部分加水分解縮合物溶液を得る工程、及び
（ii）前記部分加水分解縮合物溶液１００重量部に対し、前記一般式で示されるオルガノシランを１０〜１００重量部加え、酸化合物の存在下で更に加水分解及び縮合反応させる工程、を有することを特徴とするオルガノシロキサンの製造方法。」
　なお、末尾は「オルガノポリシロキサンの製造方法」が正しい。
　
［３］特許異議申立人の主張の概要
　特許異議申立人黒神朱砂は、下記甲第１号証〜甲第２号証を提示し、本件発明は、甲第１号証に記載された発明であり、甲第１号証及び甲第２号証に記載された発明に基づいて当業者が容易に発明をすることができたものであるから、本件は、特許法第２９条第１項第３号若しくは同条第２項の規定に違反して特許されたものであって、その特許は取り消されるべきである旨、主張している。
　　　　　　　　　　記
　甲第１号証：特開平５−１４０５０７号公報
　甲第２号証：特開平５−２５４３４号公報
　
［４］特許異議申立てについての判断
（4-1）各刊行物の記載事項
　甲第１号証には、「(a)一般式ＲＳｉ(ＯＲ')３（式中、Ｒは炭素数１〜８の有機基、Ｒ'は炭素数１〜５のアルキル基または炭素数１〜４のアシル基を示す）で表されるオルガノシラン、
(b)一般式ＲａＳｉＯ（４−ａ）／２（式中、Ｒは前記に同じ、ａは１．１〜１．８である）で表される繰り返し構造単位を有するオルガノポリシロキサンおよび／または一般式Ｒ２Ｓｉ(ＯＲ')２（式中、ＲおよびＲ′は前記に同じ）で表されるオルガノシラン、
(c)金属アルコレート、金属アルコレートとβ-ジケトン類および／またはβ-ケトエステル類との反応で得られるキレート化合物、ならびに該キレート化合物を水と反応させて得られる部分的加水分解物から選ばれた少なくとも１種、
(d)親水性有機溶媒、および 
(e)水
を混合してなることを特徴とするコーティング用組成物。」（特許請求の範囲）の発明が記載され、ここで（ｂ）成分については、「(b)オルガノポリシロキサン中のａは、１．１〜１．８、好ましくは１．２〜１．６の範囲であり、１．１未満では組成物のコーティング塗膜にクラックが発生し、一方１．８を超えると塗膜が硬化し難い。（ｂ）オルガノポリシロキサンは、通常、分子量が２，０００〜２０，０００であり、シラノール基および／またはアルコキシ基を、通常、１重量％以上、好ましくは３重量％以上有するものである。」（３頁左欄４２行〜右欄１行）との説明がなされている。
　甲第２号証には、「（ａ）一般式ＲＳｉ（ＯＲ')３（式中、Ｒは炭素数１〜８の有機基、Ｒ′は炭素数１〜５のアルキル基または炭素数１〜４のアシル基を示す）で表されるオルガノアルコキシシランの縮合物であって、ポリスチレン換算分子量が３，０００〜５０，０００の範囲にピークトップを有するオルガノポリシロキサンの高分子量体、（ｂ）コロイド状アルミナ、および（ｃ）一般式ＲＳｉ（ＯＲ')３（式中、ＲおよびＲ′は前記に同じ）で表されるオルガノアルコキシシランの縮合物であって、そのポリスチレン換算分子量が４００〜２，８００の範囲にピークトップを有するオルガノポリシロキサンの低分子量体を含有することを特徴とするコーティング用組成物。」（特許請求の範囲）の発明が記載され、その製造法に関しては、「例えば以下の(i)〜(ii)の方法が挙げられる。
(i)第１段階で、（ａ）′オルガノアルコキシシランに、（ｂ）コロイド状アルミナ、（ｅ）水〔ただし、（ｂ）成分中に存在する水を含む〕、および（ｄ）アルコール類を混合して加水分解、重縮合を行い、（ａ）′オルガノアルコキシシランをポリスチレン換算分子量が３，０００〜３０，０００の範囲にピークトップを有する縮合物を生成し、次いで第２段階でさらにオルガノアルコキシシラン、および（ｅ）水を該オルガノアルコキシシランに混合して加水分解、重縮合を行う２段階反応により、ＧＰＣにより求めた流出
曲線図でポリスチレン換算分子量が３，０００〜５０，０００に範囲にピークトップを有する高分子量体と、同４００〜２，８００の範囲にピークトップを有する低分子量体との混合物を得る方法。
(ii)第１段階で、（ａ）′オルガノアルコキシシランに、（ｂ）コロイド状アルミナ、（ｅ）水〔ただし、（ｂ）成分中に存在する水を含む〕、および（ｄ）アルコール類を混合して加水分解、重縮合を行い、（ａ）′オルガノアルコキシシランをポリスチレン換算分子量が３，０００〜５０，０００の範囲にピークトップを有する高分子量体を得る。一方、別途、オルガノアルコキシシラン、（ｅ）水、および必要に応じて酸などの加水分解触媒を混合して、加水分解、重縮合を行ない、ポリスチレン換算分子量が４００〜２，８００の範囲にピークトップを有する低分子量体を得、これを前記の高分子量体と混合する方法。」（段落【0027】〜段落【0028】、なお、(i)、(ii)は、実際は丸数字（○の中に数字が記載される記載形式）で記載されている。）と記載されている。
（4-2）対比・判断
　甲第１号証には、(a)一般式ＲＳi(ＯＲ')３（式中、Ｒは炭素数１〜８の有機基、Ｒ'は炭素数１〜５のアルキル基・・・）で表されるオルガノシラン、(b)一般式ＲａＳｉＯ（４−ａ）／２（式中、Ｒは前記に同じ、ａは１．１〜１．８である）で表される繰り返し構造単位を有するオルガノポリシロキサン、（ｃ）金属アルコレート、(d)親水性有機溶媒及び(e)水、を混合してなる、耐水性、耐熱性、耐クラック性等に優れた塗膜を形成するに好適なコーティング用組成物に関する発明が記載されており、この発明では、オルガノポリシロキサンの存在下に上記オルガノシランの加水分解、縮合反応を行うものであるから、これを２段階の反応とみれなくもない。
　しかし、その場合でも、上記オルガノシランの加水分解・縮合反応において存在せしめられるオルガノポリシロキサンは、その一般式ＲａＳｉＯ（４−ａ）／２（式中、Ｒは上記のとおり。）において、ａは１.１〜１.８好ましくは１.２〜１.６とされているから、これを形成させる原料たるオルガノシランは本件発明のものと一致している訳ではなく、またその重合度についても、本件発明で規定する要件を満たしていることを認めるに足りる根拠を見出すことはできないのであるから、これらの点で既に本件発明は甲第１号証に記載された発明ということはできない。
　次に本件発明の進歩性の有無について更に検討するに、甲第２号証には、一般式ＲＳi(ＯＲ')３（式中、Ｒは炭素数１〜８の有機基、Ｒ'は炭素数１〜５のアルキル基又は・・を示す）で表されるオルガノアルコキシシランの縮合物でそのポリスチレン換算分子量が３，０００〜５０，０００の範囲にピークトップを有する高分子量体とそのポリスチレン換算分子量が４００〜２，８００の範囲にピークトップを有する低分子量体を含有するコーティング用組成物に関する発明が記載され、その組成物の製造法として、別途製造した分子量の異なる縮合物を混合する方法と、まず高分子量体を製造し、次いでこれに該オルガノアルコキシシラン及び水を混合して加水分解、縮合反応させる方法とが記載されているが、ここにおいても、本件発明の、上記した特定のオルガノシランから一旦４〜１５量体の低分子量体を製造し、その存在下に改めて同オルガノシランを添加してこれらの加水分解、縮合反応により目的とするポリオルガノシロキサン組成物を製造することに関しては、全く記載されていないのであるから、この記載と先の甲第１号証の記載とを併せ検討しても、これから本件発明が当業者の容易に想到し得るとすることはできない。
　本件発明は、本件明細書によれば、その採用する構成により貯蔵安定性に優れ、かつ熱水安定性、耐クラック性等に優れた塗膜を形成させるオルガノポリシロキサン組成物の製造法を提供するものであり、この点で有用な効果を奏するものと認められる。
　したがつて、本件発明が甲第１号証及び甲第２号証に記載された発明に基づいて当業者が容易に発明をすることができたものとすることもできない。
　
［５］むすび
　以上のとおりであるから、特許異議申立人の提示した証拠によっては、本件発明の特許を取り消すことはできない。
　また、他に本件発明の特許を取り消すべき理由を発見しない。
　よって、結論のとおり決定する。
【異議決定日】
平成１４年４月５日（２００２．４．５）